(57)【要約】【課題】管理者が管理者用編集・作成ページにおいて各入力フォーム項目の設定をするだけでプログラムを直接変更することなく簡単に表示内容を変更してカスタマイズすることができる業務用データベースサービス提供システムを提供する。【解決手段】業務用データベースサービス提供システム１００のブラウザ１２２が、ユーザー用の表示内容を編集自在な管理者用編集・作成ページ１２３と、ユーザー用の表示内容を表示するユーザー用ビューページ（１２４）とを有し、管理者用編集・作成ページ１２３が、業務用データベースの各入力フォーム項目の表示の有無について選択自在、および、各入力フォーム項目のレイアウトについて入れ替え自在の少なくとも一方であり、ユーザー用ビューページ（１２４）が、管理者用編集・作成ページ１２３の設定に基づいてユーザー用の表示内容を表示する構成である。【選択図】図１
2020009278.tif 000002
【特許請求の範囲】
【請求項１】
ユーザーの端末の表示部に表示されるブラウザ上において入力されたデータをサーバの業務用データベースに保存して業務用データベースを管理する業務用データベースサービス提供システムであって、
前記ブラウザが、ユーザー用の表示内容を編集自在な管理者用編集・作成ページと、ユーザー用の表示内容を表示するユーザー用ビューページとを有し、
前記管理者用編集・作成ページが、前記業務用データベースの各入力フォーム項目の表示の有無について選択自在、および、各入力フォーム項目のレイアウトについて入れ替え自在の少なくとも一方であり、
前記ユーザー用ビューページが、管理者用編集・作成ページの設定に基づいてユーザー用の表示内容を表示する構成であることを特徴とする業務用データベースサービス提供システム。
【請求項２】
前記管理者用編集・作成ページが、前記業務用データベースの各入力フォーム項目の表示の有無について選択自在であり、かつ、各入力フォーム項目のレイアウトについて入れ替え自在に構成されていることを特徴とする請求項１に記載の業務用データベースサービス提供システム。
【請求項３】
前記ブラウザが、ソースコードページをさらに有し、
前記管理者用編集・作成ページの各入力フォーム項目の設定が、前記ソースコードページのソースコードと対応している構成であることを特徴とする請求項１または請求項２に記載の業務用データベースサービス提供システム。
【請求項４】
前記業務用データベース、管理者用編集・作成ページおよびユーザー用ビューページが、お知らせ電子掲示板、進捗状況管理、プロジェクト管理、タスクリスト、ドキュメント管理、質問および回答の情報、議事録、ウェブサイトの更新情報の要約についての情報、共有ブックマーク、バックアップ、交通費申請、顧客関係情報、シフト表、社員名簿、タイムカード情報管理、勤怠情報管理、スケジュール管理、ワークフロー、アンケート情報、商品マスタ情報管理、商品在庫情報管理、取引情報管理、案件管理、作業記録管理、ステータス管理、取引先連絡先情報管理、購入履歴情報管理、見積情報管理、人事情報管理、社内申請情報管理、研修情報管理、備品情報管理、報告書管理、発注情報管理、および安否情報管理の少なくとも１つについてであることを特徴とする請求項１乃至請求項３のいずれか１つに記載の業務用データベースサービス提供システム。
【請求項５】
ユーザーの端末の表示部に表示されるブラウザ上において入力されたデータをサーバの業務用データベースに保存して業務用データベースを管理する業務用データベースサービス提供システムのプログラムであって、
前記ブラウザのユーザー用の表示内容を編集自在な管理者用編集・作成ページにおいて業務用データベースの各入力フォーム項目の表示の有無、および、レイアウト位置の少なくとも一方についての入力の有無を判定する入力有無判定ステップと、
前記入力があったとき、ユーザー用の表示内容を表示するユーザー用ビューページにおいて、管理者用編集・作成ページの設定に基づいてユーザー用の表示内容を変更する表示変更ステップとを具備していることを特徴とする業務用データベースサービス提供システムのプログラム。
【発明の詳細な説明】
【技術分野】
【０００１】
本発明は、ユーザーの端末の表示部に表示されるブラウザ上において入力されたデータをサーバの業務用データベースに保存して業務用データベースを管理する業務用データベースサービス提供システム、および、そのプログラムに関する。
【背景技術】
【０００２】
従来、クライアントと、クライアントとネットワーク接続されるとともに、各種データテーブルを格納するデータベースと関連付けされ、データベースに格納される各種データテーブルを管理するテーブル管理部を有するサーバとを有し、クライアントは、フォームのレイアウト情報を作成するフォーム編集処理部を有し、サーバは、クライアントから受け取ったレイアウト情報を、フォームを一意に識別するフォームＩＤとともにデータベースに記憶し、フォーム編集処理部は、クライアントにおける入力操作により、クライアントからサーバにログインするログインユーザーの属性と関連付けてフォームの設定を行う業務管理システムが知られている（例えば、特許文献１）。
また、パブリッシャ内でのカスタムアクションのページレイアウトを定義する動作であって、ページレイアウトが、パブリッシャ内での、１以上のパブリッシャエクステンションに対するカスタムアクションの配置を表す動作をさらに生じさせるよう構成可能であるマルチテナントデータベースシステムが知られている（例えば、特許文献２）
【先行技術文献】
【特許文献】
【０００３】
【特許文献１】特開２０１７−１９９０７５号公報（請求項１、段落００５２参照）
【特許文献２】特開２０１８−０１８５５０号公報（請求項９、段落０３２７参照）
【発明の概要】
【発明が解決しようとする課題】
【０００４】
しかしながら、上述した従来の業務管理システムは、項目を予めドラッグアンドドロップで配置してログインユーザーの属性毎にレイアウトを設定する構成であったが、各項目の表示の有無の変更やレイアウトの変更についての具体的な構成の開示はなかった。
また、上述した従来のマルチテナントデータベースシステムは、利用可能なフィールドが、利用可能なフィールドのうちの１つをカスタマイズ可能なパブリッシャスペースにドラッグアンドドロップすることにより、カスタムアクションに関連付けられたデータフィールドになり得る構成であったが、各項目の表示の有無の変更やレイアウトの変更についての具体的な構成の開示はなかった。
【０００５】
そこで、本発明は、前述したような従来技術の問題を解決するものであって、すなわち、本発明の目的は、管理者が管理者用編集・作成ページにおいて各入力フォーム項目の設定をするだけでプログラムを直接変更することなく簡単に表示内容を変更してカスタマイズすることができる業務用データベースサービス提供システム、およびそのプログラムを提供することである。
【課題を解決するための手段】
【０００６】
本請求項１に係る発明は、ユーザーの端末の表示部に表示されるブラウザ上において入力されたデータをサーバの業務用データベースに保存して業務用データベースを管理する業務用データベースサービス提供システムであって、前記ブラウザが、ユーザー用の表示内容を編集自在な管理者用編集・作成ページと、ユーザー用の表示内容を表示するユーザー用ビューページとを有し、前記管理者用編集・作成ページが、前記業務用データベースの各入力フォーム項目の表示の有無について選択自在、および、各入力フォーム項目のレイアウトについて入れ替え自在の少なくとも一方であり、前記ユーザー用ビューページが、管理者用編集・作成ページの設定に基づいてユーザー用の表示内容を表示する構成であることにより、前述した課題を解決するものである。
【０００７】
本請求項２に係る発明は、請求項１に記載された業務用データベースサービス提供システムの構成に加えて、前記管理者用編集・作成ページが、前記業務用データベースの各入力フォーム項目の表示の有無について選択自在であり、かつ、各入力フォーム項目のレイアウトについて入れ替え自在に構成されていることにより、前述した課題をさらに解決するものである。
【０００８】
本請求項３に係る発明は、請求項１または請求項２に記載された業務用データベースサービス提供システムの構成に加えて、前記ブラウザが、ソースコードページをさらに有し、前記管理者用編集・作成ページの各入力フォーム項目の設定が、前記ソースコードページのソースコードと対応している構成であることにより、前述した課題をさらに解決するものである。
【０００９】
本請求項４に係る発明は、請求項１乃至請求項３のいずれか１つに記載された業務用データベースサービス提供システムの構成に加えて、前記業務用データベース、管理者用編集・作成ページおよびユーザー用ビューページが、お知らせ電子掲示板、進捗状況管理、プロジェクト管理、タスクリスト、ドキュメント管理、質問および回答の情報、議事録、ウェブサイトの更新情報の要約についての情報、共有ブックマーク、バックアップ、交通費申請、顧客関係情報、シフト表、社員名簿、タイムカード情報管理、勤怠情報管理、スケジュール管理、ワークフロー、アンケート情報、商品マスタ情報管理、商品在庫情報管理、取引情報管理、案件管理、作業記録管理、ステータス管理、取引先連絡先情報管理、購入履歴情報管理、見積情報管理、人事情報管理、社内申請情報管理、研修情報管理、備品情報管理、報告書管理、発注情報管理、および安否情報管理の少なくとも１つについてであることにより、前述した課題をさらに解決するものである。
【００１０】
本請求項５に係る発明は、ユーザーの端末の表示部に表示されるブラウザ上において入力されたデータをサーバの業務用データベースに保存して業務用データベースを管理する業務用データベースサービス提供システムのプログラムであって、前記ブラウザのユーザー用の表示内容を編集自在な管理者用編集・作成ページにおいて業務用データベースの各入力フォーム項目の表示の有無、および、レイアウト位置の少なくとも一方についての入力の有無を判定する入力有無判定ステップと、前記入力があったとき、ユーザー用の表示内容を表示するユーザー用ビューページにおいて、管理者用編集・作成ページの設定に基づいてユーザー用の表示内容を変更する表示変更ステップとを具備していることにより、前述した課題を解決するものである。
【発明の効果】
【００１１】
本発明の業務用データベースサービス提供システムは、サーバを有していることにより、ユーザーの端末の表示部に表示されるブラウザ上において入力されたデータをサーバの業務用データベースに保存して業務用データベースを管理することができるばかりでなく、以下のような特有の効果を奏することができる。
【００１２】
本請求項１に係る発明の業務用データベースサービス提供システムによれば、管理者用編集・作成ページの設定に基づいてユーザー用ビューページが表示されるため、管理者が管理者用編集・作成ページにおいて各入力フォーム項目の表示の有無およびレイアウト位置の少なくとも一方についての設定をするだけでプログラムを直接変更することなく簡単に表示内容を変更してカスタマイズすることができる。
【００１３】
本請求項２に係る発明の業務用データベースサービス提供システムによれば、請求項１に係る発明が奏する効果に加えて、管理者用編集・作成ページのレイアウトの設定に基づいてユーザー用ビューページが表示されるため、管理者が管理者用編集・作成ページにおいて各入力フォーム項目の表示の有無およびレイアウトについて設定をするだけでプログラムを直接変更することなく簡単に表示項目のレイアウトを変更してカスタマイズすることができる。
【００１４】
本請求項３に係る発明の業務用データベースサービス提供システムによれば、請求項１または請求項２に係る発明が奏する効果に加えて、管理者用編集・作成ページの各入力フォーム項目の設定に変更があるとソースコードページのソースコードも変更されるため、管理者が管理者用編集・作成ページにおいて各入力フォーム項目の設定をするだけでソースコードを直接変更することなく簡単に表示内容を変更してカスタマイズすることができる。
【００１５】
本請求項４に係る発明の業務用データベースサービス提供システムによれば、請求項１乃至請求項３のいずれか１つに係る発明が奏する効果に加えて、お知らせ電子掲示板、進捗状況管理、プロジェクト管理、タスクリスト、ドキュメント管理、質問および回答の情報、議事録、ウェブサイトの更新情報の要約についての情報、共有ブックマーク、バックアップ、交通費申請、顧客関係情報、シフト表、社員名簿、タイムカード情報管理、勤怠情報管理、スケジュール管理、ワークフロー、アンケート情報、商品マスタ情報管理、商品在庫情報管理、取引情報管理、案件管理、作業記録管理、ステータス管理、取引先連絡先情報管理、購入履歴情報管理、見積情報管理、人事情報管理、社内申請情報管理、研修情報管理、備品情報管理、報告書管理、発注情報管理、および安否情報管理の少なくとも１つについての業務用データベースサービスが提供されるため、必要に応じて複数の機能を業務用データベースに設けて会社の基幹系システムを簡単に構築することができる。
【００１６】
本請求項５に係る発明の業務用データベースサービス提供システムのプログラムによれば、請求項１に係る発明が奏する効果と同様、管理者用編集・作成ページの設定に基づいてユーザー用ビューページが表示されるため、管理者が管理者用編集・作成ページにおいて各入力フォーム項目の表示の有無およびレイアウト位置の少なくとも一方についての設定をするだけでプログラムを直接変更することなく簡単に表示内容を変更してカスタマイズすることができる。
【図面の簡単な説明】
【００１７】
【図１】本発明の実施例である業務用データベースサービス提供システムを示す概念図。
【図２】本発明の実施例である業務用データベースサービス提供システムの動作を示すチャート図。
【図３】本発明の実施例である業務用データベースサービス提供システムの管理者画面のひな形一覧表示した様子を示す図。
【図４】本発明の実施例である業務用データベースサービス提供システムの管理者画面の交通費申請の管理者用編集・作成ページを示す図。
【図５】本発明の実施例である業務用データベースサービス提供システムの管理者画面の交通費申請のプレビューページを示す図。
【図６】本発明の実施例である業務用データベースサービス提供システムの管理者画面の顧客関係管理（ＣＲＭ）のプレビューページを示す図。
【発明を実施するための形態】
【００１８】
本発明の業務用データベースサービス提供システムは、ユーザーの端末の表示部に表示されるブラウザ上において入力されたデータをサーバの業務用データベースに保存して業務用データベースを管理するものであり、ブラウザが、ユーザー用の表示内容を編集自在な管理者用編集・作成ページと、ユーザー用の表示内容を表示するユーザー用ビューページとを有し、管理者用編集・作成ページが、業務用データベースの各入力フォーム項目の表示の有無について選択自在、および、各入力フォーム項目のレイアウトについて入れ替え自在の少なくとも一方であり、ユーザー用ビューページが、管理者用編集・作成ページの設定に基づいてユーザー用の表示内容を表示する構成であることにより、管理者が管理者用編集・作成ページにおいて各入力フォーム項目の表示の有無およびレイアウト位置の少なくとも一方についての設定をするだけでプログラムを直接変更することなく簡単に表示内容を変更してカスタマイズすることができるものであれば、その具体的な実施態様は、如何なるものであっても構わない。
また、本発明の業務用データベースサービス提供システムのプログラムは、ブラウザのユーザー用の表示内容を編集自在な管理者用編集・作成ページにおいて業務用データベースの各入力フォーム項目の表示の有無、および、レイアウト位置の少なくとも一方についての入力の有無を判定する入力有無判定ステップと、入力があったとき、ユーザー用の表示内容を表示するユーザー用ビューページにおいて、管理者用編集・作成ページの設定に基づいてユーザー用の表示内容を変更する表示変更ステップとを具備していることにより、管理者が管理者用編集・作成ページにおいて各入力フォーム項目の表示の有無およびレイアウト位置の少なくとも一方についての設定をするだけでプログラムを直接変更することなく簡単に表示内容を変更してカスタマイズすることができるものであれば、その具体的な実施態様は、如何なるものであっても構わない。
【００１９】
例えば、ユーザーの端末は、デスクトップ型パーソナルコンピュータ端末、ノート型パーソナルコンピュータ端末、スマートフォン端末、タブレット端末などの情報を送受信するものであって、所謂インターネットである広域ネットワーク、ローカルネットワーク、電話回線などを含む通信ネットワークによりサーバと接続自在なものであれば如何なるものであっても構わない。
また、サーバは、１つのサーバやクラウド上の複数のサーバでもよい。
【実施例】
【００２０】
以下に、本発明の実施例である業務用データベースサービス提供システム１００について、図１乃至図６に基づいて説明する。
ここで、図１は、本発明の実施例である業務用データベースサービス提供システム１００を示す概念図であり、図２は、本発明の実施例である業務用データベースサービス提供システム１００の動作を示すチャート図であり、図３は、本発明の実施例である業務用データベースサービス提供システム１００の管理者画面のひな形一覧表示した様子を示す図であり、図４は、本発明の実施例である業務用データベースサービス提供システム１００の管理者画面の交通費申請の管理者用編集・作成ページ１２３を示す図であり、図５は、本発明の実施例である業務用データベースサービス提供システム１００の管理者画面の交通費申請のプレビューページ１２４を示す図であり、図６は、本発明の実施例である業務用データベースサービス提供システム１００の管理者画面の顧客関係管理（ＣＲＭ）のプレビューページ１２４を示す図である。
【００２１】
本発明の実施例である業務用データベースサービス提供システム１００は、図１に示すように、ユーザーの端末の一例であるコンピュータ端末１２０の表示部１２１に表示されるブラウザ１２２上において入力されたデータをサーバ１１０の業務用データベースに保存して業務用データベースを管理するように構成されている。
さらに、ブラウザ１２２が、ユーザー用の表示内容を編集自在な管理者用編集・作成ページ１２３と、ユーザー用の表示内容を表示するユーザー用ビューページとを有している。
【００２２】
ユーザー用ビューページは、管理者としてログインしたときに表示されるページではなく、業務用データベースを使用するユーザーとしてログインしたときに表示されるページである。
そして、管理者用編集・作成ページ１２３は、管理者としてログインしたときに表示されるページであって、業務用データベースの各入力フォーム項目の表示の有無について選択自在であり、かつ、各入力フォーム項目のレイアウトについて入れ替え自在である。
【００２３】
さらに、ユーザー用ビューページおよび管理者画面のプレビューページ１２４が、管理者用編集・作成ページ１２３の設定に基づいてユーザー用の表示内容を表示するように構成されている。
ここで、管理者画面のプレビューページ１２４は、管理者としてログインしたときに表示されるページであって、ユーザー用ビューページの内容と同様の内容を表示するように構成されている。
異なる点は、管理者用編集・作成ページ１２３、プレビューページ１２４、ソースコードページのタブ表示や管理者用の編集項目の表示の有無である。
【００２４】
一例として、業務用データベースの各入力フォーム項目の表示の有無の選択は、セクション毎に設けられているチェックボックスや、各項目の左端を右クリックすることで切り替えることができるように設けられている。
これにより、管理者用編集・作成ページ１２３の設定に基づいてユーザー用ビューページが表示される。
その結果、管理者が管理者用編集・作成ページ１２３において各入力フォーム項目の表示の有無およびレイアウト位置の少なくとも一方についての設定をするだけでプログラムを直接変更することなく簡単に表示内容を変更してカスタマイズすることができる。
【００２５】
次に、業務用データベースサービス提供システム１００の動作について説明する。
図２に示すように、ステップＳ１では、ブラウザ１２２において現在選択されているタブが編集自在な管理者用編集・作成ページ１２３を表示するタブか否かを、業務用データベースサービス提供システム１００の制御部（コンピュータ端末１２０またはサーバ１１０の制御部）が判定する。
管理者用編集・作成ページ１２３を表示するタブが選択されていると判定した場合はステップＳ２へ進み、他方、管理者としてログインしているがそれ以外のタブが選択されている、または、ユーザーとしてログインしていると判定した場合はステップＳ１を繰り返す。
【００２６】
ステップＳ２では、入力有無判定ステップとして、ブラウザ１２２のユーザー用の表示内容を編集自在な管理者用編集・作成ページ１２３において業務用データベースの各入力フォーム項目の表示の有無、または各入力フォーム項目のレイアウトについての入力の有無を、業務用データベースサービス提供システム１００の制御部が判定する。
例えば、管理者がブラウザ１２２上において任意の項目を選択してドラッグアンドドロップ（選択して移動、以下単に「ドラッグ」という）した場合や、表示の有無についてのチェックを切り替えた場合、入力があったと判定する。
入力があったと判定した場合はステップＳ３へ進み、他方、まだ入力がないと判定した場合はステップＳ２を繰り返す。
【００２７】
ステップＳ３では、表示変更ステップとして、ユーザー用の表示内容を表示するユーザー用ビューページおよびプレビューページ１２４において、管理者用編集・作成ページ１２３の設定に基づいてユーザー用の表示内容を、業務用データベースサービス提供システム１００の制御部が変更する。
例えば、管理者がブラウザ１２２上において任意の項目を選択してドラッグ（選択して移動）した場合や、表示の有無についてのチェックを切り替えた場合、これに伴ってＨＴＭＬ（HyperText Markup Language）形式のソースコードが変更されるように構成されている。
【００２８】
そして、ユーザー用ビューページおよびプレビューページ１２４が、ソースコードに基づいて表示されるように構成されている。
これにより、前述したように、管理者用編集・作成ページ１２３の設定に基づいてユーザー用ビューページが表示される。
その結果、管理者が管理者用編集・作成ページ１２３において各入力フォーム項目の表示の有無およびレイアウト位置の少なくとも一方についての設定をするだけでプログラムを直接変更することなく簡単に表示内容を変更してカスタマイズすることができる。
【００２９】
続いて、より具体的に説明する。
図３に示すように、管理者が管理者としてログインしたときに管理者用の管理者画面がブラウザ１２２に表示される。
業務用データベースの項目のうち、ワークフローを選択すると、ワークフロー管理者画面が表示される。
このとき、「申請書ひな形」、「ユーザー情報」、「グループ情報」、「マスターデータ」、「オペレーションログ」などのタブが表示される。
ここで、タブの数および内容は、管理者によって増減自在、編集自在に設けられている。
このうち、「申請書ひな形」のタブを選択すると、「ワークフロー」、「交通費申請」、「仮払い申請」、「セミナー／研修参加申請」などのひな形についてのリストが表示されるように構成されている。
リストの項目数および内容は、管理者によって増減自在、編集自在に設けられている。
【００３０】
そして、例えば、題名「交通費申請」を選択すると、図４に示すように、「交通費申請」についてレイアウト作成・編集自在な「交通費申請（フォームデザイナー）」の画面がブラウザ１２２に表示されるように構成されている。
このとき、ブラウザ１２２が、管理者用編集・作成ページ１２３を表示する「レイアウト作成・編集」タブ、ユーザー用ビューページと同様の内容のプレビューページ１２４を表示する「レイアウトプレビュー」タブ、およびソースコードを表示する「ＨＴＭＬソースコード」タブを切り替え自在に表示する。
そして、「レイアウト作成・編集」タブが選択された状態において、一例として、１つまたは複数のセクションが表示されるように構成されている。
【００３１】
複数のセクションは、それぞれ表示する複数または単一の項目を有している。
一例として、第１セクションには、「申請日」、「申請者」、「文書番号」、「決議番号」の項目があり、それぞれドラッグすることにより第１セクション内でレイアウト変更自在に構成されている。
また、第２セクションには、「会社名」、「役職」、「所属」の項目があり、それぞれドラッグすることにより第２セクション内でレイアウト変更自在に構成されている。
さらに、各セクションの右上のアイコンを操作することにより設定変更自在に設けられている。
【００３２】
具体的には、セクション毎の表示の有無を選択するチェックボックス、そのセクションをコピーするアイコン、そのセクションを削除するアイコン、表示順番（レイアウト位置）を１つ上に移動させるアイコン、表示順番（レイアウト位置）を１つ下に移動させるアイコンが設けられている。
アイコンを操作してそのセクションのレイアウト位置を変更してもよいし、そのセクションをドラッグしてレイアウト位置を変更してもよい。
【００３３】
そして、管理者が、レイアウトの表示確認をするために「レイアウトプレビュー」タブをクリックすると、図４に示す表示から図５に示す表示に切り替わってプレビューページ１２４がブラウザ１２２に表示される。
プレビューページ１２４は、前述したように、ユーザーが業務用データベースサービス提供システム１００を使用する際にブラウザ１２２に表示されるユーザー用ビューページと略同様の内容を示すものである。
【００３４】
さらに、ブラウザ１２２が、ソースコードページをさらに有している。
具体的には、「ＨＴＭＬソースコード」タブをクリックすることにより、ＨＴＭＬで記載されたソースコードページが表示される。
そして、管理者用編集・作成ページ１２３の各入力フォーム項目の設定が、ソースコードページのソースコードと対応するように構成されている。
【００３５】
これにより、管理者用編集・作成ページ１２３の各入力フォーム項目の設定に変更があるとソースコードページのソースコードも変更される。
その結果、管理者が管理者用編集・作成ページ１２３において各入力フォーム項目の設定をするだけでソースコードを直接変更することなく簡単に表示内容を変更してカスタマイズすることができる。
なお、ソースコードを直接編集することにより、細かな設定を変更することも可能である。
これにより、ユーザー用ビューページおよびプレビューページ１２４の表示内容の細かな設定を変更することができる。
【００３６】
また、業務用データベース、管理者用編集・作成ページ１２３およびユーザー用ビューページが、お知らせ電子掲示板、進捗状況管理、プロジェクト管理、タスクリスト情報である所謂ＴＯＤＯリスト、ドキュメント管理、質問および回答の情報である所謂Ｑ＆Ａ、議事録、ウェブサイトの更新情報の要約についての情報である所謂ＲＳＳフィード取得、共有ブックマーク、バックアップ、交通費申請、顧客関係情報である所謂ＣＲＭ、シフト表、社員名簿、タイムカード情報管理、勤怠情報管理、スケジュール管理、ワークフロー、アンケート情報、商品マスタ情報管理、商品在庫情報管理、取引情報管理、案件管理、作業記録管理、ステータス管理、取引先連絡先情報管理、購入履歴情報管理、見積情報管理、人事情報管理、社内申請情報管理、研修情報管理、備品情報管理、報告書管理、発注情報管理、および安否情報管理の少なくとも１つについてである。
図４および図５では、交通費申請の例について示したが、例えば、図６に示すように、顧客関係管理（ＣＲＭ）でもよい。
【００３７】
これにより、お知らせ電子掲示板、進捗状況管理、プロジェクト管理、ＴＯＤＯリスト、ドキュメント管理、Ｑ＆Ａ、議事録、ＲＳＳフィード取得、共有ブックマーク、バックアップ、交通費申請、ＣＲＭ、シフト表、社員名簿、タイムカード情報管理、勤怠情報管理、スケジュール管理、ワークフロー、アンケート情報、商品マスタ情報管理、商品在庫情報管理、取引情報管理、案件管理、作業記録管理、ステータス管理、取引先連絡先情報管理、購入履歴情報管理、見積情報管理、人事情報管理、社内申請情報管理、研修情報管理、備品情報管理、報告書管理、発注情報管理、および安否情報管理の少なくとも１つについての業務用データベースサービスが提供される。
その結果、必要に応じて複数の機能を業務用データベースに設けて会社の基幹系システムを簡単に構築することができる。
つまり、例えば、交通費申請の１種類だけでなく、複数種類の機能を業務用データベースに簡単に設けることができる。
なお、タイムカード情報管理は、タイムカードのように、例えば各パート従業員の勤務開始時刻および勤務終了時刻についての情報を管理するものである。
また、勤怠情報管理は、例えば、各正社員によって申請された勤務時間帯についての情報を管理するものである。
商品マスタ情報管理は、商品を特定するコード、商品の名称、商品の分類、価格、特徴などの情報を管理するものである。
案件管理は、案件の名称、担当者（メンバー）、進捗具合、納期、顧客などの情報を管理するものである。
作業記録管理は、作業日時、作業者、作業内容、例えば、顧客に対する作業として、電話したなどの情報を管理するものである。
ステータス管理は、例えば、従業員の在席ステータス（在席中、社内離席中、会議中、食事中、外出中、帰宅など）、作業タスク（例えば清掃作業）の進捗具合のステータス（場所：ホール１階、進捗：２０％）、物品のステータス（商品名：Ａ、ステータス：発注中）、社内機器管理のステータス（備品：プロジェクタ、ステータス：返却中）などの所定事項のステータスについての情報を管理するものである。
見積情報管理は、作成した見積書の情報を一覧表示自在に管理するものである。
人事情報管理は、社内の人事異動の情報を管理するものである。
社内申請情報管理は、交通費申請、残業申請、休暇申請、出張申請などの申請情報を管理するものである。
研修情報管理は、例えば、各従業員についての研修の履修状況を管理するものである。
報告書管理は、例えば、報告者、報告日、業務についての日報、週報、出張報告書などの報告内容の情報を管理するものである。
安否情報管理は、例えば、災害時における各従業員の安否確認の情報を管理するものである。
【００３８】
このようにして得られた本発明の実施例である業務用データベースサービス提供システム１００は、ユーザーの端末の一例であるコンピュータ端末１２０の表示部１２１に表示されるブラウザ１２２上において入力されたデータをサーバ１１０の業務用データベースに保存して業務用データベースを管理するものであり、ブラウザ１２２が、ユーザー用の表示内容を編集自在な管理者用編集・作成ページ１２３と、ユーザー用の表示内容を表示するユーザー用ビューページとを有し、管理者用編集・作成ページ１２３が、業務用データベースの各入力フォーム項目の表示の有無について選択自在、および、各入力フォーム項目のレイアウトについて入れ替え自在の少なくとも一方であり、ユーザー用ビューページが、管理者用編集・作成ページ１２３の設定に基づいてユーザー用の表示内容を表示する構成であることにより、管理者が管理者用編集・作成ページ１２３において各入力フォーム項目の表示の有無およびレイアウト位置の少なくとも一方についての設定をするだけでプログラムを直接変更することなく簡単に表示内容を変更してカスタマイズすることができる。
【００３９】
さらに、管理者用編集・作成ページ１２３が、業務用データベースの各入力フォーム項目の表示の有無について選択自在であり、かつ、各入力フォーム項目のレイアウトについて入れ替え自在に構成されていることにより、管理者が管理者用編集・作成ページ１２３において各入力フォーム項目のレイアウトについて設定をするだけでプログラムを直接変更することなく簡単に表示項目のレイアウトを変更してカスタマイズすることができる。
【００４０】
また、ブラウザ１２２が、ソースコードページをさらに有し、管理者用編集・作成ページ１２３の各入力フォーム項目の設定が、ソースコードページのソースコードと対応している構成であることにより、管理者が管理者用編集・作成ページ１２３において各入力フォーム項目の設定をするだけでソースコードを直接変更することなく簡単に表示内容を変更してカスタマイズすることができる。
【００４１】
さらに、業務用データベース、管理者用編集・作成ページ１２３およびユーザー用ビューページが、お知らせ電子掲示板、進捗状況管理、プロジェクト管理、タスクリスト情報である所謂ＴＯＤＯリスト、ドキュメント管理、質問および回答の情報である所謂Ｑ＆Ａ、議事録、ウェブサイトの更新情報の要約についての情報である所謂ＲＳＳフィード取得、共有ブックマーク、バックアップ、交通費申請、顧客関係情報である所謂ＣＲＭ、シフト表、社員名簿、タイムカード情報管理、勤怠情報管理、スケジュール管理、ワークフロー、アンケート情報、商品マスタ情報管理、商品在庫情報管理、取引情報管理、案件管理、作業記録管理、ステータス管理、取引先連絡先情報管理、購入履歴情報管理、見積情報管理、人事情報管理、社内申請情報管理、研修情報管理、備品情報管理、報告書管理、発注情報管理、および安否情報管理の少なくとも１つについてであることにより、必要に応じて複数の機能を業務用データベースに設けて会社の基幹系システムを簡単に構築することができる。
【００４２】
また、本発明の実施例である業務用データベースサービス提供システム１００のプログラムは、ブラウザ１２２のユーザー用の表示内容を編集自在な管理者用編集・作成ページ１２３において業務用データベースの各入力フォーム項目の表示の有無、および、レイアウト位置の少なくとも一方についての入力の有無を判定する入力有無判定ステップＳ２と、入力があったとき、ユーザー用の表示内容を表示するユーザー用ビューページにおいて、管理者用編集・作成ページ１２３の設定に基づいてユーザー用の表示内容を変更する表示変更ステップＳ３とを具備していることにより、管理者が管理者用編集・作成ページ１２３において各入力フォーム項目の表示の有無およびレイアウト位置の少なくとも一方についての設定をするだけでプログラムを直接変更することなく簡単に表示内容を変更してカスタマイズすることができるなど、その効果は甚大である。
【符号の説明】
【００４３】
１００  ・・・  業務用データベースサービス提供システム
１１０  ・・・  サーバ
１２０  ・・・  コンピュータ端末（管理者の端末、ユーザーの端末）
１２１  ・・・  表示部
１２２  ・・・  ブラウザ
１２３  ・・・  管理者用編集・作成ページ
１２４  ・・・  プレビューページ
【図１】
2020009278.tif 000003
【図２】
2020009278.tif 000004
【図３】
2020009278.tif 000005
【図４】
2020009278.tif 000006
【図５】
2020009278.tif 000007
【図６】
2020009278.tif 000008